【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
試料培地の時間分解蛍光画像化のための装置であって、
培地に向けて励起パルスを生成するように構成される発光素子と、
伝送ラインを介して発光素子に接続されるパルス発生器と、
伝送ラインに接続される遅延ラインと、を備え、
遅延ラインは、励起パルスの減衰プロファイルを成形するために伝送ラインに向けて反射パルスを生成するように構成される装置。
【請求項２】
遅延ラインは、発光素子中の立ち下がり時の電荷を失わせるための受動的な負のループバックとして機能する、請求項１に記載の装置。
【請求項３】
遅延ラインは、スタブラインを備える、請求項２に記載の装置。
【請求項４】
遅延ラインからの反射パルスは、制御された直線形減衰照明プロファイルを有する励起パルスを生成するように構成される、請求項１に記載の装置。
【請求項５】
スタブラインの形状および大きさは、減衰照明プロファイルの形状を制御するように構成される、請求項３に記載の装置。
【請求項６】
発光素子は、ＬＥＤを備える、請求項１に記載の装置。
【請求項７】
培地は、ヒト組織を備え、
放射される励起パルスは、０．５ｎｓよりも大きいパルス幅を有する、請求項１に記載の装置。
【請求項８】
放射される励起パルスは、１ｎｓから２０ｎｓの範囲のパルス幅を有する、請求項７に記載の装置。
【請求項９】
放射される励起パルスは、約１０ｎｓのパルス幅を有する、請求項８に記載の装置。
【請求項１０】
培地の時間分解蛍光画像化を実行するためのシステムであって、
（ａ）照明源であって、前記照明源が、
（ｉ）培地に向けて励起パルスを生成するように構成される発光素子と、
（ｉｉ）伝送ラインを介して発光素子に接続されるパルス発生器と、
（ｉｉｉ）伝送ラインに接続される遅延ラインと、を備え、
（ｉｖ）遅延ラインが、励起パルスの減衰プロファイルを成形するために伝送ラインに向けて反射パルスを生成するように構成される、照明源と、
（ｂ）励起された培地からの一以上の信号を受信するように構成される検出器と、
（ｃ）検出器に接続されるプロセッサと、
（ｄ）プロセッサ上で実行可能とされ、励起された培地からの一以上の信号を分析するように構成されるプログラミングと、
を備えるシステム。
【請求項１１】
遅延ラインは、発光素子中の立ち下がり時の電荷を失わせるための受動的な負のループバックとして機能する、請求項１０に記載のシステム。
【請求項１２】
遅延ラインは、スタブラインを備える、請求項１１に記載のシステム。
【請求項１３】
遅延ラインからの反射パルスは、制御された直線形減衰照明プロファイルを有する励起パルスを生成するように構成される、請求項１０に記載のシステム。
【請求項１４】
スタブラインの形状および大きさは、減衰照明プロファイルの形状を制御するように構成される、請求項１２に記載のシステム。
【請求項１５】
発光素子は、ＬＥＤを備える、請求項１０に記載のシステム。
【請求項１６】
放射される励起パルスは、０．５ｎｓよりも大きいパルス幅を有する、請求項１０に記載のシステム。
【請求項１７】
放射される励起パルスは、１ｎｓから２０ｎｓの範囲のパルス幅を有する、請求項１６に記載のシステム。
【請求項１８】
プログラミングは、さらに、
培地の第１画像を生成するステップであって、前記第１画像が少なくとも培地の第１成分に対応する第１蛍光体および培地の第２成分に対応する第２蛍光体に関連するデータを備え、第１蛍光体が第２蛍光体よりも長い蛍光寿命を有するステップと、
前記第１画像から特定の時間後に培地の第２画像を生成するステップであって、前記第２画像が少なくとも第１蛍光体に関連するデータを備えるステップと、
培地に含まれる第１成分および第２成分の差異を特定するために、第１画像および第２画像の関数としての第３画像を生成するステップと、
を実行するように構成される、請求項１０に記載のシステム。
【請求項１９】
第２画像は、第２蛍光体に関連するデータが第２画像に存在しないこととなるように第２蛍光体の減衰後に生成され、
第３画像を生成するステップは、第１蛍光体に関するデータが第２画像に存在しないこととなるように第２画像から第１画像を減算するステップを備える、請求項１８に記載のシステム。
【請求項２０】
第２画像から第１画像を減算する前に、第２画像が第１画像の強度に正規化される、請求項１９に記載のシステム。
【請求項２１】
第２画像は、第１蛍光体および第２蛍光体がいまだ減衰している間に生成され、
第２画像は、第２蛍光体に関連するデータをさらに備え、
第３画像を生成するステップは、第２画像を第１画像で除算するステップを備える、請求項１８に記載のシステム。
【請求項２２】
プログラミングは、第３画像に定数を乗算するステップをさらに実行するように構成される、請求項２１に記載のシステム。
【請求項２３】
試料培地の時間分解蛍光画像化のための方法であって、
パルス発生器を伝送ラインを介して発光素子に接続するステップと、
伝送ラインに向けてパルスを生成するステップと、
受動的な反射パルスと生成されたパルスとを結合させるステップと、
発光素子から励起パルスを放射するステップと、を備え、
反射パルスは、励起パルスの減衰プロファイルを成形するように構成される方法。
【請求項２４】
反射パルスは、伝送ラインに接続される遅延ラインから生成され、
遅延ラインは、発光素子中の立ち下がり時の電荷を失わせるための受動的な負のループバックとして機能する、請求項２３に記載の方法。
【請求項２５】
遅延ラインは、スタブラインを備える、請求項２４に記載の方法。
【請求項２６】
反射パルスは、制御された直線形減衰照明プロファイルを有する励起パルスを生成するように構成される、請求項２３に記載の方法。
【請求項２７】
スタブラインの形状および大きさは、減衰照明プロファイルの形状を制御するように構成される、請求項２５に記載の方法。
【請求項２８】
発光素子は、ＬＥＤを備える、請求項２３に記載の方法。
【請求項２９】
培地は、ヒト組織を備え、
放射される励起パルスは、０．５ｎｓよりも大きいパルス幅を有する、請求項２３に記載の方法。
【請求項３０】
放射される励起パルスは、１ｎｓから２０ｎｓの範囲のパルス幅を有する、請求項２９に記載の方法。
【請求項３１】
培地の第１画像を生成するステップであって、前記第１画像が少なくとも培地の第１成分に対応する第１蛍光体および培地の第２成分に対応する第２蛍光体に関連するデータを備え、第１蛍光体が第２蛍光体よりも長い蛍光寿命を有するステップと、
前記第１画像から特定の時間後に培地の第２画像を生成するステップであって、前記第２画像が少なくとも第１蛍光体に関連するデータを備えるステップと、
培地に含まれる第１成分および第２成分の差異を特定するために、第１画像および第２画像の関数としての第３画像を生成するステップと、
をさらに備える、請求項２３に記載の方法。
【請求項３２】
第２画像は、第２蛍光体に関連するデータが第２画像に存在しないこととなるように第２蛍光体の減衰後に生成され、
第３画像を生成するステップは、第１蛍光体に関するデータが第２画像に存在しないこととなるように第２画像から第１画像を減算するステップを備える、請求項３１に記載の方法。
【請求項３３】
第２画像から第１画像を減算する前に、第２画像が第１画像の強度に正規化される、請求項３２に記載の方法。
【請求項３４】
第２画像は、第１蛍光体および第２蛍光体がいまだ減衰している間に生成され、
第２画像は、第２蛍光体に関連するデータをさらに備え、
第３画像を生成するステップは、第２画像を第１画像で除算するステップを備える、請求項３１に記載の方法。